(57)【要約】  【課題】  後付けで既存のテーブルにもまたは新規のテーブルにも簡単に取り付けることができて、コンパクトに構成することができると共に、効果的に煙を吸引することができるテーブル取付用消煙・消臭装置を提供する。  【解決手段】  テーブル１０の天板１２の裏面側に固定されて吸い込み用送風機２７を内蔵する本体ケース２２と、本体ケース２２及びテーブル１０の天板１２に対して上下動可能に配置され、少なくともその上部に吸い込み口３０ａを有すると共に、消煙・消臭部となるマイナスイオン発生装置３２を内蔵する可動ケース３０と、を備え、本体ケース２２と可動ケース３０とは、テーブル１０の天板１２の開口１２ａを貫通して互いに連通される。【選択図】  図１
2006175008.tif 000002
【特許請求の範囲】
【請求項１】
テーブルに取り付けられて、テーブル周囲の消煙・消臭を行なうテーブル取付用消煙・消臭装置において、
テーブルの天板の裏面側に固定されて吸い込み用送風機を内蔵する本体ケースと、
本体ケース及びテーブルの天板に対して上下動可能に配置され、少なくともその上部に吸い込み口を有すると共に、消煙・消臭部を内蔵する可動ケースと、
を備え、前記可動ケースと本体ケースとはテーブルの天板に形成された開口を貫通して互いに連通されることを特徴とするテーブル取付用消煙・消臭装置。
【請求項２】
前記消煙・消臭部は、マイナスイオンを発生するマイナスイオン発生器で構成されることを特徴とする請求項１記載のテーブル取付用消煙・消臭装置。
【請求項３】
前記本体ケースは、テーブルの脚の一部を構成することを特徴とする請求項１または２記載のテーブル取付用消煙・消臭装置。
【請求項４】
前記可動ケースは、上限位置と下限位置との間で移動可能となっており、下限位置において、その上端面がテーブルの天板と面一となることを特徴とする請求項１ないし３のいずれか１項に記載のテーブル取付用消煙・消臭装置。
【請求項５】
前記可動ケースは、下限位置において、前記本体ケース内に格納されることを特徴とする請求項１ないし４のいずれか１項に記載のテーブル取付用消煙・消臭装置。
【発明の詳細な説明】
【技術分野】
【０００１】
本発明は、店舗用または家庭用の食事用テーブル、会議用テーブル、作業用テーブル、応接用テーブル、麻雀、ゲーム用の遊戯用テーブル、喫煙・分煙コーナーの喫煙用テーブル等の既存または新規の任意テーブルに簡単に取り付けることができ、テーブル周囲の消煙や消臭を行なうことができるテーブル取付用消煙・消臭装置に関する。
【背景技術】
【０００２】
従来、この種のテーブル付近の消煙や消臭を行なうことができるものとしては、特許文献１及び２に記載された空気清浄機能を有するテーブルが知られている。
【０００３】
かかる文献に記載されたテーブルは、テーブルの天板に開口部を設け、天板の下部に、該開口部に連通して、たばこの煙を吸引するファンと、煙を浄化する浄化装置と、排出口とを備えた煙浄化部とを、設けている。
【０００４】
このような空気清浄機能付きのテーブルは、テーブルと空気清浄機能部とが一体化されたものとなっているために、既存のテーブルに新たに空気清浄機能部を取り付けることは、困難であるという問題がある。また、テーブルと空気清浄機能部とが一体化されているために、フィルタ等からなる煙浄化部の交換も大変であるという問題がある。
【０００５】
これに対して、特許文献３に記載されたものでは、浄化手段及び送風手段を設けた空気清浄機を、床面に配置されるベースによってアームを介してテーブルの上方に支持している。また、特許文献４に記載されたものでは、床上に設置可能に形成され、空気浄化手段、送風手段及び吹出口を備えた空気清浄装置本体と、テーブル等の天板上に設置可能に形成されて吸込口を備えた吸込部とを備え、空気清浄装置本体と吸込部とを可撓性を有するダクトを介して連結している。
【０００６】
このような空気清浄装置は、テーブルとは別の独立型となっているために、後付けをすることができるという利点を有しているが、装置が大型化しており、テーブルの傍に設置できるとは言え、装置が邪魔になるという問題がある。
【０００７】
また、マイナスイオン発生機能を備えた空気清浄機能を有するテーブルとしては、特許文献５に記載されたものが知られている。このテーブルは、テーブルカウンターの中に市販品のマイナスイオン発生空気清浄機と電動ファンを収納し、電動ファンによりテーブルカウンター内に室内喫煙場所の空気を循環させて空気清浄を行なうようにしており、マイナスイオンにより空気汚染微粒子を集塵するようにしている。
【０００８】
【特許文献１】特開平８−２２４４１８号公報
【特許文献２】特開２００１−３４０１４０号公報
【特許文献３】特開平１１−８３０９６号公報
【特許文献４】特開２００１−２０８３８４号公報
【特許文献５】登録実用新案第３０８８２１１号公報
【発明の開示】
【発明が解決しようとする課題】
【０００９】
しかしながら、上記公報に記載された従来の空気清浄機能を有するテーブルは、テーブルに後付けで空気清浄機能を付加することが困難なものが多く、また、空気清浄装置をテーブルに対して独立の装置にすると、装置が嵩張るという問題がある。
【００１０】
また、テーブルに空気清浄機能が組み込まれたタイプのものは、テーブルの天板に開口部を備え、天板の下方に煙を吸引する吸引ファンと、煙を浄化する浄化装置と、排出口とを備えているが、煙などの浄化すべき空気は、テーブルの天板よりも上方を漂っているために、効果的に煙を吸引するためには、吸引ファンの吸引力を高めなければならず、モータの大型化、騒音などを招来するという問題がある。
【００１１】
本発明はかかる課題に鑑みなされたもので、その目的は、後付けで既存のテーブルにもまたは新規のテーブルにも簡単に取り付けることができて、コンパクトに構成することができると共に、効果的に煙を吸引することができるテーブル取付用消煙・消臭装置を提供することである。
【課題を解決するための手段】
【００１２】
上記目的を達成するために、本発明のうち請求項１記載の発明は、テーブルに取り付けられて、テーブル周囲の消煙・消臭を行なうテーブル取付用消煙・消臭装置において、
テーブルの天板の裏面側に固定されて吸い込み用送風機を内蔵する本体ケースと、
本体ケース及びテーブルの天板に対して上下動可能に配置され、少なくともその上部に吸い込み口を有すると共に、消煙・消臭部を内蔵する可動ケースと、を備え、前記可動ケースと本体ケースとはテーブルの天板に形成された開口を貫通して互いに連通されることを特徴とする。
【００１３】
請求項２記載の発明は、請求項１記載の前記消煙・消臭部が、マイナスイオンを発生するマイナスイオン発生器で構成されることを特徴とする。
【００１４】
請求項３記載の発明は、請求項１または２記載の前記本体ケースが、テーブルの脚の一部を構成することを特徴とする。
【００１５】
請求項４記載の発明は、請求項１ないし３のいずれか１項に記載の前記可動ケースが、上限位置と下限位置との間で移動可能となっており、下限位置において、その上端面がテーブルの天板と面一となることを特徴とする。
【００１６】
可動ケースは本体ケース内に重なり合わずに下動することもできるが、請求項５記載の発明は、請求項１ないし４のいずれか１項に記載の前記可動ケースが、下限位置において、前記本体ケース内に格納されることを特徴とする。
【発明の効果】
【００１７】
本発明によれば、テーブルの裏面側に固定される本体ケースと、該本体ケースに対して上下動可能となった可動ケースとから構成されるために、既存または新規の任意のテーブルの天板に開口を形成することで、テーブルにこれらケースを簡単に取り付けることができ、コンパクトに構成することができる。少なくとも上部に吸い込み口を有する可動ケースが上下動可能に配置されるので、使用の際には煙を吸い込むのに効果的な位置に可動ケースを配置することができ、不使用の際には、邪魔にならない位置に配置することができる。
【００１８】
請求項２記載の発明によれば、マイナスイオンによって、消煙・消臭を瞬時に行なうことができる。
【００１９】
請求項３記載の発明によれば、本体ケースがテーブルの脚を兼ねるために、テーブルの下方において、テーブル取付用消煙・消臭装置が嵩張ることなくすっきりと配置することができる。
【００２０】
請求項４記載の発明によれば、可動ケースを不使用の際に下限位置に配置したときに、可動ケースの上端面がテーブルの天板と面一となるために、不使用時にテーブルの天板上方で可動ケースが邪魔になることを防ぐことができる。
【００２１】
請求項５記載の発明によれば、可動ケースを不使用の際に下限位置に配置したときに、可動ケースが本体ケース内へと格納されるために、不使用時にテーブルの天板下方で可動ケースが邪魔になることを防ぐことができる。
【発明を実施するための最良の形態】
【００２２】
以下、図面を用いて本発明の実施の形態を説明する。
【００２３】
図１は、本発明の実施形態に係るテーブル取付用消煙・消臭装置を表す図である。図において、１０はテーブルであり、テーブル１０は天板１２と、脚１４とを備えている。本発明によるテーブル取付用消煙・消臭装置２０は、この例では、テーブル１０の脚１４の一部をも構成しており、筒状の本体ケース２２は、天板１２の裏面に固定プレート２４及び固定金具２６を介して固定される。本体ケース２２内には、ファン及びモータを備える吸い込み用送風機２７が設置されている。任意には、本体ケース２２内には適宜、流れる空気を暖めまたは冷却する暖房機または冷房機を設置することも可能である。
【００２４】
また、本体ケース２２の下方は、脚シャフト１４ａに連結されると共に、排出口２２ａとなっている。
【００２５】
本体ケース２２の上部においては、テーブル１０を貫通して吸い込みユニット２８が上下に摺動可能となっている。そのため、テーブル１０の天板１２には、内径１００ｍｍ程度の開口１２ａが穿設されている。この開口１２ａは、既存または新規の通常のテーブル１０の天板１２に適宜、穿設することで、設定することができる。こうして、開口１２ａを貫通して、本体ケース２２と吸い込みユニット２８とは互いに連通される。
【００２６】
吸い込みユニット２８は、筒状の可動ケース３０を備えており、その上部に吸い込み口としてのパンチング孔３０ａが形成されており、その内部には、消煙・消臭部としてのマイナスイオン発生装置３２が設置されている。
【００２７】
マイナスイオン発生装置３２は、消煙・消臭除菌作用を行なうもので、具体的には、図３に示したように、針状電極３４と、針状電極３４の先端に対向した筒状電極３６とからなる。針状電極３４と筒状電極３６とは同一中心軸上に所定の距離だけ離間されて配置される。これらの間に高圧電圧を印加すると、コロナ放電が発生し、マイナスイオン及びオゾンを発生する。このマイナスイオンが煙・臭いを構成する粒子に付着して分解し、消煙・消臭を行なう。また、同時に発生する微量のオゾンがタバコの臭い等を消臭することができる。
【００２８】
この針状電極３４と筒状電極３６からなるマイナスイオン発生装置３２は、複数個、筒状の可動ケース３０内に設けることができ、一例としては、円周上に９０度間隔で設けた４個のマイナスイオン発生装置３２を２列、計８個設けることができるようになっている。
【００２９】
針状電極３４と筒状電極３６へ印加するための高圧発生器３８及びコントロール装置は、テーブル１０の天板１２の裏側に前記本体ケース２２に隣接して前記固定プレート２４に固定されている。そして、図示しない高圧発生器３８からのケーブルは、本体ケース２２内に挿入されて、可動ケース３０内のマイナスイオン発生装置３２に接続されている。
【００３０】
前述のように、吸い込みユニット２８は、テーブル１０及び本体ケース２２に対して上下動に摺動可能となっており、図１に示す最も上昇した上限位置と、図２に示す最も下降した下限位置との間で移動可能となっている。この２つの位置の間で移動可能とするために、吸い込みユニット２８の可動ケース３０の側面からは、操作ボタン４２が突出している。操作ボタン４２は可動ケース３０に対して出没可能となっており、リターンスプリング４０によって可動ケース３０外へと突出する方向に常時付勢されている。
【００３１】
図１に示すように上限位置にあるときには、操作ボタン４２は、テーブル１０の天板１２の上面に係止して、その下動が禁止されている。一方、操作ボタン４２をリターンスプリング４０のバネ力に抗して押圧すると、可動ケース３０は下方へと移動して、図２の状態となり、ストッパー４４によって下限位置に保持される。
【００３２】
この下限位置においては、吸い込みユニット２８が本体ケース２２内に格納される。このとき、図示のように、可動ケース３０の上端面がテーブル１０の天板１２の上面とほぼ同じ高さで面一になると、不使用時に吸い込みユニット２８が全く天板１２から突出しないことになるため、テーブル取付用消煙・消臭装置が邪魔にならず好ましい。この状態から吸い込みユニット２８を上昇させるためには、吸い込みユニット２８の上端面等にハンドル部などを設けるとよい。そして、ハンドル部等を持って吸い込みユニット２８を引き上げて、操作ボタン４２をテーブル１０の天板１２の上方まで到達させると、リターンスプリング４０により天板１２に係止するので、その位置に保持される。
【００３３】
以上のように構成されるテーブル取付用消煙・消臭装置２０の作用を説明する。
【００３４】
図１に示すように、吸い込みユニット２８が上限位置にあるときには、使用状態であり、このときには、吸い込み用送風機２７が作動し、これにより、可動ケース３０内が負圧となり、外部の煙が吸い込み口３０ａから吸引される。可動ケース３０内に吸引された煙は、マイナスイオン発生装置３２に達すると、そこで発生するマイナスイオン及びオゾンによって、瞬時に消煙・消臭がなされる。こうして、清浄化された空気の流れは、吸い込み用送風機２７を通過して、排出口２２ａから排出される。
【００３５】
図１に示す最も上昇した状態で、吸い込みユニット２８の可動ケース３０の上端面は、天板１２から１５０〜３００ｍｍの高さに位置付けられるとよく、この高さにおいて、テーブル１０の周囲に着座した喫煙者からのタバコの煙などを効率的に吸い込み口３０ａから吸引して消煙・消臭処理することができる。
【００３６】
また、テーブル１０を使用していないとき等、テーブル取付用消煙・消臭装置２０自体も使用する必要がないときには、操作ボタン４２を操作して吸い込みユニット２８を下降させて、可動ケース３０を本体ケース２２内に格納することができる。こうして、不使用時にテーブル１０の天板１２下方で可動ケース３０が邪魔になることを防ぐことができる。また、吸い込みユニット２８の可動ケース３０の上端面は、テーブル１０の天板１２の上面と面一になるので、吸い込みユニット２８がテーブル１０の天板１２上方で邪魔になることはない。
【００３７】
尚、図示した実施形態では、テーブル取付用消煙・消臭装置の本体ケース２２がテーブル１０の脚１４を兼ねており、これにより嵩張らずに構成されていたが、これに限るものではなく、脚１４とは別にテーブル１０の天板１２の裏面に取り付けられていてもよい。また、可動ケース３０が、本体ケース２２内に格納される代わりに、本体ケース２２と連通を保持しつつ、本体ケース２２外へと下降することも可能である。
【００３８】
また、吸い込みユニット２８内には、消煙・消臭部としてマイナスイオン発生装置３２を内蔵したが、これに限るものではなく、マイナスイオン発生装置３２と共にまたはマイナスイオン発生装置３２に代えて、フィルタを設けることも可能である。また、吸い込みユニット２８内に設けられた消煙・消臭部は適宜、天板１２から取り外して交換することも可能であり、この場合に、本体ケース２２を取り外す必要はないので、簡単に交換作業を行なうことができる。
【図面の簡単な説明】
【００３９】
【図１】本発明の実施形態に係るテーブル取付用消煙・消臭装置の側面図（部分断面図）であり、可動ケースが上限位置にある状態を表す。
【図２】本発明の実施形態に係るテーブル取付用消煙・消臭装置の側面図（部分断面図）であり、可動ケースが下限位置にある状態を表す。
【図３】マイナスイオン発生装置の構成を表す断面図である。
【符号の説明】
【００４０】
１０  テーブル
１２  天板
１２ａ  開口
１４  脚
２０  テーブル取付用消煙・消臭装置
２２  本体ケース
２７  吸い込み用送風機
２８  吸い込みユニット
３０  可動ケース
３０ａ  吸い込み口
３２  マイナスイオン発生装置（消煙・消臭部）
【図１】
2006175008.tif 000003
【図２】
2006175008.tif 000004
【図３】
2006175008.tif 000005